(57)【要約】【課題】上空での電波発信を防止する電子機器を提供すること。【解決手段】電子機器１は、外部機器２５１、２５２、３０１、３０２との間で無線通信ユニット１４を介してデータ通信を行う通信制御手段１５と、無線通信ユニット１４による通信を許可する通信許可モードと、無線通信ユニット１４による通信を禁止する通信禁止モードとを切り替えるモード切り替え手段１５と、高度上昇を判定する高度上昇判定手段１５と、高度上昇判定手段１５によって高度上昇が判定された場合に通信禁止モードへ切り替えるようにモード切り替え手段１５を制御する制御手段１５とを備える。【選択図】図１
2009290425.tif 000002
【特許請求の範囲】
【請求項１】
外部機器との間で無線通信ユニットを介してデータ通信を行う通信制御手段と、
前記無線通信ユニットによる通信を許可する通信許可モードと、前記無線通信ユニットによる通信を禁止する通信禁止モードとを切り替えるモード切り替え手段と、
高度上昇を判定する高度上昇判定手段と、
前記高度上昇判定手段によって高度上昇が判定された場合に前記通信禁止モードへ切り替えるように前記モード切り替え手段を制御する制御手段とを備えることを特徴とする電子機器。
【請求項２】
請求項１に記載の電子機器において、
前記通信許可モードへの切り替えを要求する操作信号を発する操作部材と、
前記モード切り替え手段によって前記通信禁止モードに切り替えられている状態で前記操作部材から操作信号が発せられた場合に、前記通信禁止モードである旨を報知する報知手段とをさらに備えることを特徴とする電子機器。
【請求項３】
請求項２に記載の電子機器において、
前記制御手段は、前記通信禁止モードへ切り替えられている状態で前記無線通信ユニットを介するデータ通信以外の動作を許可することを特徴とする電子機器。
【請求項４】
請求項２に記載の電子機器において、
前記通信許可モードへの強制的な切り替えを要求する強制切り替え信号を発する第２操作部材をさらに備え、
前記制御手段は、前記報知手段による前記報知の後に前記第２操作部材から強制切り替え信号が発せられた場合に、前記通信許可モードへ切り替えるように前記モード切り替え手段を制御することを特徴とする電子機器。
【請求項５】
請求項１に記載の電子機器において、
前記高度上昇判定手段は気圧センサを含み、前記気圧センサによる気圧検出を所定時間間隔で繰り返し行い、気圧低下を示す情報が所定期間内に所定数以上検出された場合に前記高度上昇を判定することを特徴とする電子機器。
【請求項６】
請求項１に記載の電子機器において、
前記高度上昇判定手段は、メインスイッチオフ時も前記高度上昇判定を行うことを特徴とする電子機器。
【請求項７】
外部機器との間で無線通信ユニットを介してデータ通信を行う通信制御手段と、
前記無線通信ユニットによる通信を許可する通信許可モードと、前記無線通信ユニットによる通信を禁止する通信禁止モードとを切り替えるモード切り替え手段と、
高度を判定する高度判定手段と、
前記高度判定手段によって判定された高度が所定値以上の場合に前記通信禁止モードへ切り替えるように前記モード切り替え手段を制御する制御手段とを備えることを特徴とする電子機器。
【発明の詳細な説明】
【技術分野】
【０００１】
本発明は、無線通信を行う電子機器に関する。
【背景技術】
【０００２】
無線通信方式の異なる領域へ移動した場合に無線通信機能を制限する技術が知られている（特許文献１参照）。
【０００３】
【特許文献１】特開２００２−２０９２４６号公報
【発明の開示】
【発明が解決しようとする課題】
【０００４】
従来技術では、所定の領域移動を伴わない場合には無線通信機能を制限しないため、たとえば、無線機器の使用が制限されている航空機内で電波を発してしまうという問題があった。
【課題を解決するための手段】
【０００５】
（１）本発明による電子機器は、外部機器との間で無線通信ユニットを介してデータ通信を行う通信制御手段と、無線通信ユニットによる通信を許可する通信許可モードと、無線通信ユニットによる通信を禁止する通信禁止モードとを切り替えるモード切り替え手段と、高度上昇を判定する高度上昇判定手段と、高度上昇判定手段によって高度上昇が判定された場合に通信禁止モードへ切り替えるようにモード切り替え手段を制御する制御手段とを備えることを特徴とする。
（２）請求項１に記載の電子機器はさらに、通信許可モードへの切り替えを要求する操作信号を発する操作部材と、モード切り替え手段によって通信禁止モードに切り替えられている状態で操作部材から操作信号が発せられた場合に、通信禁止モードである旨を報知する報知手段とを備えてもよい。
（３）請求項２に記載の電子機器において、制御手段は、通信禁止モードへ切り替えられている状態で無線通信ユニットを介するデータ通信以外の動作を許可することもできる。
（４）請求項２に記載の電子機器はさらに、通信許可モードへの強制的な切り替えを要求する強制切り替え信号を発する第２操作部材を備えてもよい。この場合の制御手段は、報知手段による報知の後に第２操作部材から強制切り替え信号が発せられた場合に、通信許可モードへ切り替えるようにモード切り替え手段を制御することもできる。
（５）請求項１に記載の電子機器において、高度上昇判定手段は気圧センサを含み、気圧センサによる気圧検出を所定時間間隔で繰り返し行い、気圧低下を示す情報が所定期間内に所定数以上検出された場合に高度上昇を判定することもできる。
（６）請求項１に記載の電子機器において、高度上昇判定手段は、メインスイッチオフ時も高度上昇判定を行うこともできる。
（７）他の発明による電子機器は、外部機器との間で無線通信ユニットを介してデータ通信を行う通信制御手段と、無線通信ユニットによる通信を許可する通信許可モードと、無線通信ユニットによる通信を禁止する通信禁止モードとを切り替えるモード切り替え手段と、高度を判定する高度判定手段と、高度判定手段によって判定された高度が所定値以上の場合に通信禁止モードへ切り替えるようにモード切り替え手段を制御する制御手段とを備えることを特徴とする。
【発明の効果】
【０００６】
本発明による電子機器では、上空での電波発信を防止できる。
【発明を実施するための最良の形態】
【０００７】
以下、図面を参照して本発明を実施するための最良の形態について説明する。図１は、本発明の一実施の形態による電子カメラ１の構成例を説明するブロック図である。図１において、電子カメラ１は、撮影光学系１１と、撮像素子１２と、画像処理回路１３と、無線通信ユニット１４と、ＣＰＵ１５と、ＲＡＭ１６と、表示装置１７と、メモリカードインターフェース(I/F)１８と、操作部材１９と、気圧センサ２０と、電源回路２１とを備える。
【０００８】
ＣＰＵ１５、ＲＡＭ１６、表示装置１７、メモリカードインターフェース１８、画像処理回路１３、および無線通信ユニット１４は、それぞれがバス２２を介して接続されている。
【０００９】
撮影光学系１１は、ズームレンズやフォーカシングレンズを含む複数のレンズ群で構成され、被写体像を撮像素子１２の受光面に結像させる。なお、図１を簡単にするため、撮影光学系１１を単レンズとして図示している。
【００１０】
撮像素子１２は、受光素子が受光面に二次元配列されたＣＣＤイメージセンサやＣＭＯＳイメージセンサなどによって構成される。撮像素子１２は、撮影光学系１１を通過した光束による被写体像を光電変換してアナログ画像信号を生成する。アナログ画像信号は、不図示のＡ／Ｄ変換回路によってデジタル信号に変換された後、画像処理回路１３に入力される。画像処理回路１３は、デジタル画像信号に対して各種の画像処理（色補間処理、階調変換処理、輪郭強調処理、ホワイトバランス調整処理、画像圧縮処理、画像伸張処理など）を施す。
【００１１】
無線通信ユニット１４は、ＣＰＵ１５からの指示に応じて外部機器との間で無線通信を行う。無線ＬＡＮモジュールとしての無線通信ユニット１４が、外部機器としてのアクセスポイント２５１、２５２との間で通信を確立することにより、ＣＰＵ１５が該アクセスポイントを介してインターネット２０１に接続される。無線通信ユニット１４は無線ユニットＣＰＵ１４１および送受信回路１４２を含む。送受信回路１４２は、アンテナ１４３を介して電波の送受信を行う。無線ユニットＣＰＵ１４１は、送受信回路１４２による送受信動作を制御するともに、送受信回路１４２に対する送信の許可／禁止を制御する。
【００１２】
ＣＰＵ１５は、内蔵する不揮発性メモリに記憶するプログラムを実行することにより、電子カメラ１が行う動作を統括的に制御する。ＣＰＵ１５は、ＡＦ（オートフォーカス）動作制御や、自動露出（ＡＥ）演算も行う。ＡＦ動作は、たとえば、スルー画像のコントラスト情報に基づいてフォーカシングレンズ（不図示）の合焦位置を求めるコントラスト検出方式を用いる。スルー画像は、撮影指示前に撮像素子１２によって所定の時間間隔（たとえば３０コマ／毎秒）で繰り返し取得されるモニタ用画像のことをいう。
【００１３】
表示装置１７は液晶パネルによって構成され、ＣＰＵ１５からの指示に応じて画像や操作メニュー画面などを表示する。ＲＡＭ１６はＣＰＵ１５のワークメモリとして使用される。また、ＲＡＭ１６は、画像処理回路１３による画像処理の前工程や後工程でのデジタル画像データを一時的に記憶する。
【００１４】
メモリカードインターフェース１８はコネクタ（不図示）を有し、該コネクタにメモリカードなどの記憶媒体５１が接続される。メモリカードインターフェース１８は、接続された記憶媒体５１に対するデータの書き込みや、記憶媒体５１からのデータの読み込みを行う。記憶媒体５１は、半導体メモリを内蔵したメモリカード、またはハードディスクドライブなどで構成される。
【００１５】
電源回路２１は、ＣＰＵ１５からの指示に応じて撮像素子１２、表示装置１７および気圧センサ２０などに対する電力の供給／遮断を制御する。電子カメラ１は、電池（不図示）が装填されていれば、メインスイッチがオフされていてもＣＰＵ１５および気圧センサ２０へ所定の電力を供給するるように構成されている。
【００１６】
操作部材１９は、不図示のレリーズボタン、ズームスイッチ、十字スイッチ、メニュースイッチなどを含む。操作部材１９は、モード切替え操作やメニュー選択操作など、各操作に応じた操作信号をＣＰＵ１５へ送出する。
【００１７】
電子カメラ１は、記憶媒体５１が記憶している画像ファイルを無線通信ユニット１４を介してインターネット２０１上の所定の画像サーバー３０１へアップロードする「画像転送」機能を有する。電子カメラ１はさらに、画像サーバー３０１へアップロードした画像とメール宛先とを対応付ける情報をインターネット２０１上の所定のメールサーバー３０２へ送る「メール転送」機能を有する。
【００１８】
アップロード画像とメール宛先とを対応付ける情報を取得した上記メールサーバー３０２は、メール宛先へアップロード画像が格納されているURL情報を含むメールを上記メール宛先へ送信するように構成されている。URL情報を含むメールの受取人は、該URLにより指定されるサーバーに格納されている画像の閲覧やダウンロードが可能である。
【００１９】
本実施形態は、無線通信ユニット１４を介して通信を行う動作モード（無線モードと呼ぶ）に特徴を有するので、以下ＣＰＵ１５が実行する無線モードに関する処理を中心に説明する。
【００２０】
＜高度上昇判定＞
高度上昇判定処理の流れについて、図２に例示するフローチャートを参照して説明する。ＣＰＵ１５は、電子カメラ１に電池（不図示）が装填されている場合に、メインスイッチのオン／オフ状態にかかわらず高度上昇判定処理を繰り返し実行するように構成される。図２のステップＳ１において、ＣＰＵ１５は１０秒間経過したか否かを判定する。ＣＰＵ１５は、不図示のタイマー回路によって１０秒を計時した場合にステップＳ１を肯定判定する。ＣＰＵ１５はさらに、タイマー回路をリセットしてステップＳ２へ進む。ＣＰＵ１５は、計時時間が１０秒に満たない場合はステップＳ１を否定判定して計時を続ける。これにより、１０秒ごとにステップＳ２以降の処理が実行される。
【００２１】
ステップＳ２において、ＣＰＵ１５は気圧検出を行う。具体的には、気圧センサ２０から気圧検出信号を取り込んでステップＳ３へ進む。ステップＳ３において、ＣＰＵ１５は、気圧値データをＲＡＭ１６へ記録してステップＳ４へ進む。気圧値データは、たとえば、直近の３分間分のデータを上書き記憶（更新記憶）するように構成されている。
【００２２】
図３は、時系列に記憶された気圧値データを例示する図である。横軸は時間軸を表し、縦軸は気圧値を表す。図３によれば、時刻ｔ４から時刻ｔ９までに取得された気圧値は、前の時刻の気圧値より減少している。
【００２３】
図２のステップＳ４において、ＣＰＵ１５は、気圧値(N)−気圧値(P)＜判定閾値が成立するか否かを判定する。気圧値(N)は注目する気圧値であり、気圧値(P)は１つ前に取得した気圧値である。ＣＰＵ１５は、上式が成立する場合にステップＳ４を肯定判定してステップＳ５へ進む。ＣＰＵ１５は、上式が成立しない場合にはステップＳ４を否定判定し、ステップＳ６へ進む。
【００２４】
ステップＳ５へ進む場合は気圧値が前回の検出値から所定値以上低下した場合である。ＣＰＵ１５は、ステップＳ５において、気圧低下値フラグに１をセットしてステップＳ７へ進む。
【００２５】
ステップＳ６へ進む場合は気圧値が前回の検出値からの低下が所定値に満たない場合である。ＣＰＵ１５は、ステップＳ６において、気圧低下値フラグに０をセットしてステップＳ７へ進む。
【００２６】
図４は、各時間における気圧低下値フラグを例示する図である。図４によれば、時間ｔ３−ｔ４以降、時間ｔ８−ｔ９まで気圧低下値フラグが１である。
【００２７】
図２のステップＳ７において、ＣＰＵ１５は、気圧低下値フラグが１の回数が過去１１回のうち所定数（たとえば６）以上か否かを判定する。ＣＰＵ１５は、気圧低下値フラグ１の回数が６以上の場合にステップＳ７を肯定判定してステップＳ８へ進む。ＣＰＵ１５は、気圧低下値フラグ１の回数が６以上でない場合にはステップＳ７を否定判定し、ステップＳ１へ戻る。
【００２８】
ステップＳ８において、ＣＰＵ１５は、無線禁止フラグを１にセットしてステップＳ１へ戻る。無線禁止フラグは、送受信回路１４２に対する送信を禁止する場合に１がセットされ、送受信回路１４２に対する送信を許可する場合に０がセットされるフラグである。気圧低下値フラグが図４に例示した値をとる本実施形態では、無線禁止フラグが１にセットされる。
【００２９】
＜無線モード時制御＞
無線モード時の制御処理の流れについて、図５に例示するフローチャートを参照して説明する。ＣＰＵ１５は、たとえば、操作部材１９から無線通信のためのメニュー画面を表示させる操作信号が入力された場合、図５による処理を起動する。
【００３０】
図５のステップＳ１１において、ＣＰＵ１５は、無線禁止フラグが１か否かを判定する。ＣＰＵ１５は、無線禁止フラグが１（送受信回路１４２による送信禁止）の場合にステップＳ１１を肯定判定してステップＳ１２へ進む。ＣＰＵ１５は、無線禁止フラグが０（送受信回路１４２による送信許可）の場合にステップＳ１１を否定判定してステップＳ１６へ進む。
【００３１】
ステップＳ１２において、ＣＰＵ１５は、表示装置１７に警告表示を行わせる。図６は、表示装置１７による表示画面を例示する図である。ＣＰＵ１５は、たとえば、「飛行中の可能性があるので無線通信を禁止しています。」というメッセージを表示させた上で、無線通信禁止を解除するか否かを確認するメッセージを表示装置１７にさらに表示させてステップＳ１３へ進む。
【００３２】
ステップＳ１３において、ＣＰＵ１５は、無線通信機能を有効にする操作が行われたか否かを判定する。ＣＰＵ１５は、たとえば、図６に例示した表示画面中の「はい」６１を選択した状態で、操作部材１９を構成する十字スイッチ（不図示）から右操作を示す操作信号が入力されると、ステップＳ１３を肯定判定してステップＳ１４へ進む。一方、ＣＰＵ１５は、図６に例示した表示画面中の「いいえ」６２を選択した状態で、操作部材１９を構成する十字スイッチ（不図示）から右操作を示す操作信号が入力されると、ステップＳ１３を否定判定してステップＳ２６へ進む。
【００３３】
ステップＳ１４において、ＣＰＵ１５は、無線通信禁止の解除が指示されたと判定して表示装置１７における警告表示を終了させてステップＳ１５へ進む。ステップＳ１５において、ＣＰＵ１５は、無線禁止フラグを０にセットしてステップＳ１６へ進む。これにより、無線通信禁止を解除する。
【００３４】
ステップＳ１６において、ＣＰＵ１５は、図７に例示する無線通信メニュー画面を表示装置１７に表示させてステップＳ１７へ進む。ステップＳ１７において、ＣＰＵ１５は、画像転送モードへ移行する操作が行われたか否かを判定する。ＣＰＵ１５は、たとえば、図７に例示した表示画面中の「画像転送」７１を選択した状態で、操作部材１９を構成する十字スイッチ（不図示）から右操作を示す操作信号が入力されると、ステップＳ１７を肯定判定してステップＳ１８へ進む。一方、ＣＰＵ１５は、図７に例示した表示画面中の「画像転送」７１を選択した状態で、操作部材１９を構成する十字スイッチ（不図示）から右操作を示す操作信号が入力されなければステップＳ１７を否定判定してステップＳ２１へ進む。
【００３５】
ステップＳ１８において、ＣＰＵ１５は、無線通信ユニット１４の駆動許可信号を１にさせてステップＳ１９へ進む。具体的には、無線ユニットＣＰＵ１４１へ指示を送り、送受信回路１４２を発信可能な状態にする。
【００３６】
ステップＳ１９において、ＣＰＵ１５は「画像転送」処理を行う。ＣＰＵ１５は、たとえば、操作部材１９からの操作信号によって指示された画像ファイルを、インターネット２０１上の画像サーバー３０１へアップロードするように無線通信ユニット１４を介して送信させる。ＣＰＵ１５は、アップロード送信処理が終了するとステップＳ２０へ進む。
【００３７】
ステップＳ１７を否定判定して進むステップＳ２１において、ＣＰＵ１５は、メール転送モードへ移行する操作が行われたか否かを判定する。ＣＰＵ１５は、たとえば、図７に例示した表示画面中の「メール転送」７２を選択した状態で、操作部材１９を構成する十字スイッチ（不図示）から右操作を示す操作信号が入力されると、ステップＳ２１を肯定判定してステップＳ２２へ進む。一方、ＣＰＵ１５は、図７に例示した表示画面中の「メール転送」７２を選択した状態で、操作部材１９を構成する十字スイッチ（不図示）から右操作を示す操作信号が入力されなければステップＳ２１を否定判定してステップＳ２４へ進む。
【００３８】
ステップＳ２２において、ＣＰＵ１５は、無線通信ユニット１４の駆動許可信号を１にさせてステップＳ２３へ進む。具体的には、無線ユニットＣＰＵ１４１へ指示を送り、送受信回路１４２を発信可能な状態にする。たとえば、あらかじめ送受信回路１４２へ電力を供給しておき、「駆動許可信号を１にする」指示を受けた無線ユニットＣＰＵ１４１が送受信回路１４２を初期化することによって発信可能な状態にする。
【００３９】
ステップＳ２３において、ＣＰＵ１５は「メール転送」処理を行う。ＣＰＵ１５は、たとえば、操作部材１９からの操作信号によって指示された画像と、操作部材１９からの操作信号によって指示されたメール宛先とを対応付ける情報を、インターネット２０１上の所定のメールサーバー３０２へ無線通信ユニット１４を介して送信させる。ＣＰＵ１５は、送信処理が終了するとステップＳ２０へ進む。
【００４０】
ステップＳ２１を否定判定して進むステップＳ２４において、ＣＰＵ１５は、無線モードをオフする操作が行われたか否かを判定する。ＣＰＵ１５は、たとえば、図７に例示した表示画面中の「無線モード終了」７３を選択した状態で、操作部材１９を構成する十字スイッチ（不図示）から右操作を示す操作信号が入力されると、ステップＳ２４を肯定判定してステップＳ２５へ進む。一方、ＣＰＵ１５は、図７に例示した表示画面中の「無線モード終了」７３を選択した状態で、操作部材１９を構成する十字スイッチ（不図示）から右操作を示す操作信号が入力されなければステップＳ２４を否定判定してステップＳ１７へ戻る。
【００４１】
ステップＳ２５において、ＣＰＵ１５は、図７に例示した無線通信メニュー表示を終了させ、図５による無線モード時の制御処理を終了する。
【００４２】
ステップＳ２０において、ＣＰＵ１５は、無線通信ユニット１４の駆動許可信号を０にさせて図５による無線モード時の制御処理を終了する。具体的には、無線ユニットＣＰＵ１４１へ指示を送り、送受信回路１４２を発信停止状態にする。
【００４３】
上述したステップＳ１３を否定判定して進むステップＳ２６において、ＣＰＵ１５は、撮影モードへ移行する操作が行われたか否かを判定する。ＣＰＵ１５は、たとえば、操作部材１９を構成するレリーズボタン（不図示）から半押し操作信号が入力されると、ステップＳ２６を肯定判定してステップＳ２７へ進む。一方、ＣＰＵ１５は、操作部材１９を構成するレリーズボタン（不図示）から半押し操作信号が入力されない場合には、ステップＳ２６を否定判定してステップＳ１３へ戻る。
【００４４】
ステップＳ２７において、ＣＰＵ１５は、表示装置１７における警告表示を終了させてステップＳ２８へ進む。ステップＳ２８において、ＣＰＵ１５は、無線モード時の制御処理を終了させるとともに、所定の撮影モード処理を開始させて図５による処理を終了する。
【００４５】
以上説明した実施形態によれば、次の作用効果が得られる。
（１）ＣＰＵ１５が気圧センサ２０による気圧値データに基づいて高度上昇を判定した場合に、無線禁止フラグを１（送受信回路１４２による送信禁止）にするようにした。これにより、たとえば、ユーザーが無線通信機能を備える電子カメラ１を航空機内に手荷物として持ち込んだ場合に、上空における電波発信を自動的に禁じることができる。
【００４６】
（２）無線禁止フラグを１（送受信回路１４２による送信禁止）にした状態で操作部材１９から無線通信のための操作信号が入力された場合、電子カメラ１の表示装置１７に無線通信を禁止している旨を知らせる表示を行うようにした。これにより、飛行中の機内はもちろんのこと、地上へ降りた以降でも無線通信を禁止中であること、およびその理由を知らせることができる。
【００４７】
（３）ユーザーによる操作部材１９からの強制的な解除操作（図６の画面中「はい」６１を選択した状態において十字スイッチ（不図示）を右操作）が行われない限り、無線禁止フラグの１（送受信回路１４２による送信禁止）を維持するようにした。自動解除をしないので、誤動作による解除を防ぐことができる。
【００４８】
（４）無線禁止フラグを１（送受信回路１４２による送信禁止）にした状態であっても、撮影モードへの移行を可能にしたので、撮影動作などを許可する一方で送受信回路１４２による通信のみを限定的に制限できる。
【００４９】
（５）操作部材１９からの強制的な解除操作により、無線禁止フラグ１（送受信回路１４２による送信禁止）から無線禁止フラグ０（送受信回路１４２による送信許可）へ解除可能にした。これにより、たとえば、急な気圧低下（高層ビルの高層階直通エレベータによる低層階から高層階への移動）に基づいて高度上昇が判定されたことに起因して、無線禁止フラグが１（送受信回路１４２による送信禁止）になった場合には、無線通信機能を使えるように無線禁止フラグを０（送受信回路１４２による送信許可）に戻すことができる。
【００５０】
（６）気圧センサ２０による気圧検出情報を所定時間間隔（１０秒）ごとに取り込み、所定値以上の気圧値低下が所定回以上続いた場合にのみ高度上昇を判定するようにしたので、気圧値の上昇や低下が安定しない状況での誤判定を防止できる。
【００５１】
（７）メインスイッチがオフ状態でも高度上昇判定をするようにしたので、飛行中の機内でメインスイッチをオンさせた場合でも、上空における電波発信を自動的に禁じることができる。
【００５２】
（変形例１）
上述した実施形態では、ＣＰＵ１５が気圧値データに基づいて高度上昇を判定する例を説明したが、高度計による高度検出データを用いて高度判定を行う構成にしてもよい。この場合には、電子カメラ１が高度検出信号を出力する高度計を備える。
【００５３】
変形例１のＣＰＵ１５は、たとえば、１０秒ごとに高度計による高度検出信号を取り込み、所定高度より高い高度検出情報が６個以上続けて検出された場合に無線禁止フラグを１（送受信回路１４２による送信禁止）にする。このように、気圧センサ２０の代わりに高度計を備えるようにしても、上記実施形態と同様の作用効果が得られる。
【００５４】
（変形例２）
無線通信ユニット１４は、電子カメラ１に内蔵するタイプの他、電子カメラ１に後から接続可能な着脱タイプとして構成してもよい。
【００５５】
（変形例３）
無線通信ユニット１４の駆動許可信号を１にすることの他の例として、以下のように構成することもできる。すなわち、送受信回路１４２に対する電力供給を通常は遮断しておき、「駆動許可信号を１にする」指示を受けた無線ユニットＣＰＵ１４１が、送受信回路１４２に対する電力供給を開始させることによって送受信回路１４２を発信可能な状態にする。そして、無線ユニットＣＰＵ１４１が「駆動許可信号を０にする」指示を受けた場合には、送受信回路１４２に対する電力供給を遮断することによって送受信回路１４２を発信禁止状態にする。
【００５６】
（変形例４）
電子機器として電子カメラ１を例に説明したが、内蔵／外付けタイプにかかわらず無線通信ユニット１４を介して無線通信を行うものであれば、携帯型パソコン（パーソナルコンピュータ）やＰＤＡ、携帯電話機でも本発明を適用して構わない。
【００５７】
以上の説明はあくまで一例であり、上記の実施形態の構成に何ら限定されるものではない。
【図面の簡単な説明】
【００５８】
【図１】本発明の一実施の形態による電子カメラの構成例を説明するブロック図である。
【図２】高度上昇判定処理の流れを説明するフローチャートである。
【図３】時系列に記憶された気圧値データを例示する図である。
【図４】各時間における気圧低下値フラグを例示する図である。
【図５】無線モード時の制御処理の流れを説明するフローチャートである。
【図６】表示装置による警告表示画面を例示する図である。
【図７】無線通信メニュー画面を例示する図である。
【符号の説明】
【００５９】
１…電子カメラ
１２…撮像素子
１３…画像処理回路
１４…無線通信ユニット
１５…ＣＰＵ
１６…ＲＡＭ
１７…表示装置
１９…操作部材
２０…気圧センサ
２１…電源回路
２５１、２５２…アクセスポイント
３０１…画像サーバー
３０２…メールサーバー
【図１】
2009290425.tif 000003
【図２】
2009290425.tif 000004
【図３】
2009290425.tif 000005
【図４】
2009290425.tif 000006
【図５】
2009290425.tif 000007
【図６】
2009290425.tif 000008
【図７】
2009290425.tif 000009